(57)【要約】      （修正有）【課題】  蓋体の孔部を閉塞する閉塞板の位置を調整可能とすることにより、閉塞板まわりの隙間をなくし、雨水や土砂の流入を防止するとともに、臭気の漏出を防止する。【解決手段】  地下構造物の蓋体の縁に形成されている孔部を開閉可能に閉塞する閉塞板の位置調整装置について、蓋体１１の下面に、閉塞板２０を孔部１６に嵌合する上方の閉じ位置と、孔部１６を開く下方の開き位置との間を移動可能に配置するため、開閉移動部１９を蓋体１１の下面側に取り付けるとともに、開閉移動部１９の一端部に閉塞板２０を取り付け、開閉移動部１９の他端部に位置調整手段を設け、位置調整手段は、孔部に嵌合している閉塞板２０を、上方の閉じ位置において、蓋体１１を受け止めている枠体１２に接触可能な外方及び枠体１２から離れる内方へ位置調整可能に設ける。【選択図】          図６
2006233654.tif 000002
【特許請求の範囲】
【請求項１】
地下構造物の蓋体の縁に形成されている孔部を開閉可能に閉塞する閉塞板の位置調整装置であって、蓋体の下面に、閉塞板を孔部に嵌合する上方の閉じ位置と、孔部を開く下方の開き位置との間を移動可能に配置するため、開閉移動部を蓋体の下面側に取り付けるとともに、開閉移動部の一端部に閉塞板を取り付け、開閉移動部の他端部に位置調整手段を設け、位置調整手段は、孔部に嵌合している閉塞板を、上方の閉じ位置において、蓋体を受け止めている枠体に接触可能な外方及び枠体から離れる内方へ位置調整可能に設けたことを特徴とする地下構造物用蓋体の孔部閉塞板位置調整装置。
【請求項２】
閉塞板は、孔部に下から嵌まる上部構造と、その下部に位置して孔部よりも大型の下部構造を有し、上部構造と下部構造の間には孔部の下面に面接触可能なパッキングを備えている請求項１記載の地下構造物用蓋体の孔部閉塞板位置調整装置。
【請求項３】
パッキングは、孔部の下面に接する上部をシール性の良いゴム材とし、枠体に接する下部を摩擦抵抗の小さいプラスチック材とした層状構造を持ち、ねじ止めなどの取り付け手段により、閉塞板の上部構造と下部構造の間に挟まれた状態で、交換可能に、閉塞板に設けた構成を有している請求項２記載の地下構造物用蓋体の孔部閉塞板位置調整装置。
【請求項４】
開閉移動部は枠部材を有し、枠部材は、内方端部に調整軸の結合部を有し、調整軸を蓋体の下面に設けられている支持部に取り付け、蓋体に対して内外方向へ移動させることにより閉塞板の位置を調整可能に設けた構成を有している請求項１記載の地下構造物用蓋体の孔部閉塞板位置調整装置。
【発明の詳細な説明】
【技術分野】
【０００１】
本発明は、地下構造物の蓋体の縁に形成されている孔部を開閉可能に閉塞する閉塞板の位置調整装置に関するものである。
【背景技術】
【０００２】
マンホール等の地下構造物用蓋体は、枠体に嵌め合わせて開口を閉じ、また閉じた蓋体を開けるために、縁に手鍵穴などと通称される孔部を有している。手鍵穴は小開口であるが、開いたままでは雨水や土砂が流入したり、逆にマンホール内から臭気が漏出したりするため、閉塞手段を手鍵穴に設けて塞ぐことが行われている。閉塞手段には様々なタイプのものがあるが、中でも特開２００３−１２９５１０号のものは閉塞板の開閉動作がスムーズで、枠体と干渉せず孔部を隙間なく閉じることができる。ところが、マンホール鉄蓋や枠体の属する鋳物製品の分野では製品寸法のばらつきが、ＪＩＳの一般公差でも±２ｍｍ程度のため、閉塞板と枠体間には通常２〜６ｍｍ程度の隙間のあるのが普通である。このような事情があるので手鍵穴部分はこれまで完全に塞がれていたとはいえないことになる。
【０００３】
一方、製造段階において、閉塞板により手鍵穴を設計図面通り閉塞できているかどうかを検査し、修正の必要がある場合、従来は、閉塞板か或いは蓋体側取り付け部を削って調整するような方法が取られて来た。閉塞板を機械加工すれば精度良く作ることができるがコストの大幅な増加は避けられない。また、実際に路面等にマンホールを設置したあとでは、閉塞板は蓋体を開閉するたびに手鍵やバールなどの工具によって突かれ、また、開いた蓋体を路面に置いたときにも路面に当たって衝撃を受けるので、変形や磨耗が進行し、それによってがたつきが増し、可動部分の動きがスムーズさを失う傾向となる。しかしながら、従来の閉塞板とその取り付け構成では上記のような不具合が生じた場合にそれを調整ないし修正する手段がないというのが実情である。一方、閉塞性をパッキングに求める例もあり、そのものはゴム製であり、閉塞板表面に貼り付けるという構造を取っているため、剥がれ易く、その都度貼り直さなければならないという問題がある。
【０００４】
【特許文献１】特開２００３−１２９５１０号
【発明の開示】
【発明が解決しようとする課題】
【０００５】
本発明は前記の点に着目してなされたもので、その課題は、蓋体の孔部を閉塞する閉塞板の位置を調整可能とすることにより、閉塞板まわりの隙間をなくし、雨水や土砂の流入を防止するとともに、臭気の漏出を防止することである。また、本発明の他の課題は、閉塞板を機械加工しなくても、確実に閉塞位置に配置することができる地下構造物用蓋体の孔部閉塞板位置調整装置を提供することである。
【課題を解決するための手段】
【０００６】
前記の課題を解決するため、本発明は、地下構造物の蓋体の縁に形成されている孔部を開閉可能に閉塞する閉塞板の位置調整装置について、蓋体の下面に、閉塞板を孔部に嵌合する上方の閉じ位置と、孔部を開く下方の開き位置との間を移動可能に配置するため、開閉移動部を蓋体の下面側に取り付けるとともに、開閉移動部の一端部に閉塞板を取り付
け、開閉移動部の他端部に位置調整手段を設け、位置調整手段は、孔部に嵌合している閉塞板を、上方の閉じ位置において、蓋体を受け止めている枠体に接触可能な外方及び枠体から離れる内方へ位置調整可能に設けるという手段を講じたものである。
【０００７】
本発明に係る装置は、蓋体の縁に形成されている孔部について、そこを閉塞する閉塞板の位置を調整する装置である。閉塞板は、蓋体の下面に配置され、工具を例えば手鍵穴のような孔部から差し込むことにより押し下げ、孔部を開放する位置（開き位置）に移動
し、また、工具を引き抜くことにより孔部を閉塞する位置（閉じ位置）に移動する。閉塞板を、上方の閉じ位置と下方の開き位置との間で移動可能に配置するために、開閉移動部の一端部に閉塞板が取り付けられる。開閉移動部は、閉塞板を蓋体の下面にて移動可能にする手段であるが、具体的な構造は任意であって良い。
【０００８】
例えば、孔部を閉塞する閉塞板を一端部に有するリンク部材を具備し、同部材に平行部材を２個夫々の一端部にて軸支し、２個の平行部材を他端部にて蓋体側の部材に軸支することにより、閉塞板が、上方の閉じ位置とそれよりも下方の開き位置との間を移動可能な平行リンクを形成し、平行リンクに付勢手段を組み込むことにより、閉塞板が孔部を閉じる方向に付勢するという構成を取ることができる。平行リンクは、閉塞板を平行移動可能であるので、１点で軸支した部材に閉塞板を取り付ける回転移動の場合と比較して、枠体から速やかに離れる設計を可能にする。しかしながら平行リンクは一つの具体例であり、これに限定されるものではない。例えば本発明には１点で軸支した部材を開閉移動部として適用することも可能である。
【０００９】
開閉移動部は、他端部にて蓋体の下面側に取り付けられ、また位置調整手段も開閉移動部に設けられる。開閉移動部はこのように閉塞板と蓋体との間に介在しており、閉塞板を蓋体下面に取り付ける部材の一部を構成している。閉塞板を、孔部に嵌合している閉じ位置において、閉じ状態を保つ方向に付勢する手段を設けることができる。閉塞板の付勢手段としては、弾性力によって、閉塞板が孔部を閉じる方向へ付勢するように組み込んだ弾性部材があり、或いは他の付勢手段としては、同じく閉じる方向へ閉塞板を付勢するように、開閉移動部に設ける重錘等も適用可能である。
【００１０】
閉塞板は、孔部を閉塞するので、孔部の内壁面との間では、隙間を相当程度解消して気密性を高めることも容易である。しかし、孔部は外方に開いた開口を持っており、この開口部分において、閉塞板の外側の端部は枠体の内周面に接触しなければ閉塞は不可能である。また、逆に枠体の内周面よりも外へ出ている場合には干渉するため蓋体を閉じること自体が不可能になる。そこで本発明では、閉塞板と枠体との間の隙間を大小調整可能、又は、枠体との干渉をなくする方向へ調整可能な位置調整手段を備えている。位置調整手段は閉塞板を上方の閉じ位置とそれよりも下方の開き位置との間にて移動可能に配置する開閉移動部に関連して設けられている。位置調整手段は、閉塞板を開閉移動部とともに孔部の外方又は内方へ位置調整するものであり、具体的な調整方法としては、ねじによる前
進、後退を使用することができる。
【００１１】
閉塞板は、孔部に下から嵌まる上部構造と、その下部に位置して孔部よりも大型の下部構造を有し、上部構造と下部構造の間には、孔部において閉塞板によるシール性と円滑な開閉動作を確保するためにパッキングを備えた構成を取ることができる。これにより閉塞板は、蓋体に形成されている孔部及び蓋体を受け止める枠体に接してシール効果を向上することができる。またパッキングの貼り付けに伴う従来の問題を解決するため、本発明では、パッキングをねじ止めなどの取り付け手段により交換可能に取り付け、摩耗等による劣化に対処し得る構成を取っている。本発明の場合調整装置により閉塞板を枠体に適切に接触可能であり、そのため閉塞板の開閉に伴うパッキングと枠体との接触が抵抗となり、引っ掛かりを生じて閉じ位置へ戻りにくくなる可能性がある。そこで本発明では、孔部の下面に接触するパッキングの上部にシール性を高めるゴム材を使用し、枠体に接するパッキングの下部にはゴムよりも滑り易いプラスチック材を使用し、これらの相乗によって、最良のシール効果と閉塞板の確実な開閉動作を得るという改良を試みているものである。また、交換可能なパッキングの構成により、常に最良の密閉性能を維持することも可能になる。
【発明の効果】
【００１２】
本発明は上記のように構成されかつ作用するものであるから、閉塞板によって、蓋体に形成されている手鍵穴等の孔部をほぼ完全に閉塞することができるものであり、雨水や土砂の流入或いは臭気の漏出をほぼ完全に防止することができるという効果を奏する。ま
た、本発明に係る地下構造物用蓋体の孔部閉塞板位置調整装置によれば、孔部や枠体に対して閉塞板の位置を調整可能であり、隙間をなくしまた枠体との干渉をなくすなどの作業が容易に行えるので、製造段階における検査に即応し、かつまた使用中の変形や磨耗増加に対しては調整によって対応でき、万一破損した場合には本装置のみ交換して蓋体は引き続き使用を継続可能であり、さらに、交換式のパッキングの使用により、孔部に対する密閉性能を高めかつ維持し得るという効果を奏する。
【発明を実施するための最良の形態】
【００１３】
以下図示の実施形態を参照して本発明をより詳細に説明する。各図において、符号１１は地下構造物の円形開口を閉じる蓋体を示しており、この蓋体１１は、図４に示したように、枠体１２と組み合わせて使用されるもので、枠体１２とはヒンジ金具１３とヒンジ受け１４から成るヒンジ装置によって開閉可能に結合されており、それと１８０度離れた位置に地下構造物用錠装置１５が設けられている。
【００１４】
本発明に係る装置は、ヒンジ装置から１８０度離れた位置にて、蓋体１１の縁部に内方へ切れ込むように設けられた、半径方向に細長い孔部１６に関連して設けられている。なお孔部１６は、前記の錠装置１５を解錠するためにも利用される。孔部１６は、ほぼＵ字形の形状を有し、その内壁面１７は上に向かってテーパー状に挟まった横断面形状となっている。また、このテーパー状の横断面は、途中に段１８を有するもので、段１８よりも下の内壁面１７′の方が幅広である。
【００１５】
閉塞板２０はこのような孔部１６に嵌合する上方の閉じ位置と、孔部１６から下へ脱してそれを開く下方の開き位置との間にて移動可能に、蓋体１１の下面に配置されている。図示の例における閉じ位置は図６に実線によってあらわし、また開き位置は同図に鎖線を用いてあらわしている。
【００１６】
閉塞板２０は孔部１６に下から嵌まる上部構造２１を有し、かつその下部には孔部１６よりも大形の平面形を有する下部構造２２を有し、さらにシール効果を向上するためにパッキング２３を下部構造上に備えている。例示のパッキング２３は、上部構造２１と下部構造２２の間に挟まれた状態で、ねじで示された固定手段２４によって取り付けられており、蓋体側の孔部１６の段部１８に接触する部分として、シール性を高めるゴム材で形成した上部２３ａと、枠体側に接触する部分として、摩擦抵抗の小さいプラスチック材で形成した下部２３ｂの二層構造により構成されている（図２参照)。これによって、閉塞板２０の確実な開閉動作とともに、雨水、土砂流入防止効果及び臭気の漏出防止効果を格段に向上することができる。例示の場合にはプラスチック材としてポリアセタールモノマーを使用し、目的の滑り性能を得ている。
【００１７】
閉塞板２０は開閉移動部１９の一端部に設けられており、開閉移動部１９は平行リンクから成る構成を有している。即ち、下部構造２２は、リンク部材２５の外方の先端に設けられており、そこに上部構造２１がねじで示された固定手段２４によって取り付けられている。リンク部材２５は左右一対の部分から成り、リンク部材の２５の端部の斜め上部と下部の２箇所には、夫々軸支部２６、２７が設定されており、両軸支部２６、２７には２個の平行部材２８、２９が夫々の一端部にて軸支されている。２個の平行部材２８、２９の内の上方の平行部材２８はリンク部材２５の二又構造として示された一対の部分間に配置され、軸材２６ｂによって軸支されている。２６ａ、２６ｃ、２７ａ、２８ａ、２９ａは軸穴を示す。また下方の平行部材２９はリンク部材２５の両外側に配置される立ち上がり２９ｃ、２９ｄを有し、軸支部２７の突起２７ｂに軸穴２７ａにて軸支される。
【００１８】
平行部材２８、２９は他端部にて蓋体側の枠部材３０に軸支され、それによって、閉塞板２０が上方の閉じ位置と下方の開き位置との間を移動可能にする平行リンクを構成している。３１、３２は他端部の軸支部であり、前記一端の軸支部２６、２７と平行リンクを構成するために、蓋体側の枠部材３０に形成したものである。３３、３４は他端部における軸支部用軸部材を示す。
【００１９】
上記の枠部材３０は、蓋体１１の孔部内方の下面に一体に設けられている一対の保持部３５、３６に、蓋体内方から外方へ両側枠３７、３８を嵌め込む構造によって、内外方向へスライド可能に保持されている（図３参照）。枠部材３０は、内方端側に調整軸３９の結合部４１を有しており、調整軸３９を、蓋体１１の下面に一体に設けられている支持部４２に取り付け、蓋体１１に対して内外方向へ移動させることにより閉塞板２０の位置を調整可能に設けられている。例示の調整方法はねじであり、調整軸３９はボルト、結合部４１は枠部材３０に形成した雌ねじであり、夫々止めナット４３により所要の位置に固定することができるように構成されている。上記の調整軸３９、結合部４１は閉塞板位置調整装置４０を構成する。
【００２０】
さらに、閉塞板２０に関連して付勢手段４５を設けている。例示の付勢手段４５は一種のねじりばねとして示された弾性部材から成り、リンク部材２５の両側に設けてある突部４６に一端を掛け止め、枠部材３０に設けられている上方の軸材３３に中間部にて回転可能に取り付け、他端は、蓋体１１の下面に圧接状態で当接する配置を取る。この付勢手段４５は孔部１６を閉じる方向へ付勢するように作用し、それによって閉塞板２０による孔部１６のシール効果を高めている。
【００２１】
このように構成されている本発明の装置４０では、右ねじの場合、調整軸３９を例えば右回転すると、枠部材３０が引き寄せられて、孔部１６の内方、つまり枠体１２の内周面４７から内方へ離れる方向へ開閉移動部１９及びこれと一体の閉塞板２０を移動させ（図５に符号ｉで示す位置）、逆に調整軸３９を例えば左回転させると右ねじでは枠部材３０が押されて、孔部１６の外方、つまり枠体１２の内周面４７に接触する方向へ開閉移動部１９及び閉塞板２０を移動させることができる（図５に符号ｏで示す位置）。従って、閉塞板２０を位置調整することによって、孔部１６に配置されている状態において常に閉塞板２０の先端が枠体１２の内周面４７に当接している最適の閉塞状態を容易に実現することが可能となり、一旦調整後は止めナット４３により定位置にロックさせるので、蓋体１１の開閉が繰り返されても簡単に動いてしまうことはない。また経時の緩み或いは磨耗により、隙間が拡大した場合にもこれをゼロとすることが容易であり、製造段階における品質管理も一段と容易なものとなる。
【００２２】
本発明の装置４０を実施した蓋体１１に対する閉塞作業の例は図６及び図７に示されている。閉塞板２０は、孔部１６を閉塞する閉じ位置にある状態において、付勢手段４５により上方つまり閉塞方向へ常に押されており、雨水や土砂の流入及び臭気の漏出の可能性はほぼ完全に防止されている（図６実線）。工具類を用いて閉塞板２０を押し込むと、閉塞板２０は平行リンクより成る開閉移動部１９の動きによって、閉じ位置に対して下方の開き位置に移動する（図６鎖線）。この動きは閉塞板２０を上部外方の閉じ位置から下部内方の開き位置へ平行に移動させるものであり、枠体１２の内周面４７に対する接触と離間の動きが直線的に行われる。開蓋の際は工具４８のＴ字型先端４９を最初縦に孔部１６に差し込んでから９０度回転させ、さらに蓋体１１の立ち下がり部５０の内側隅部に掛止させ、上方へ引き上げれば良い（図７）。また、閉塞板２０を押し開く力が加わらなくなると、付勢手段４５により閉塞方向に押されて閉塞するが、本発明のパッキング２３は摩擦抵抗が小さく、枠体１２の内周面４７に接触しても引っ掛かったりしないので、段部１８にて止まる状態に速やかに戻る。
【００２３】
以上のように本発明によれば、閉塞板２０を位置調整によって枠体１２の内周面４７に正確に接触させることができるので、蓋体１１の開閉には全く支障がなく、特に気付かずに枠体１２と抵触し、閉塞板２０に衝撃を与えるというようなこともない。本発明においてはパッキング２３が上部構造２１と下部構造２２に挟まれているため枠体の内周面４７との接触で剥離する恐れが無く、使用により摩耗しても固定手段２４のねじを緩めてパッキング２３を新品と交換できるので、常に最良の密閉効果を得ることができる。
【図面の簡単な説明】
【００２４】
【図１】本発明に係る地下構造物用蓋体の孔部閉塞板位置調整装置の実施例を示すもので、Ａは斜視図、Ｂは正面図。
【図２】図１のものの分解斜視図。
【図３】同じく図１のものの下面図。
【図４】本発明装置を適用した地下構造物用マンホール装置の断面図。
【図５】位置調整装置の動作説明図。
【図６】本発明装置における閉塞板の押し下げ状態の断面図。
【図７】工具のＴ字型先端を９０度回転した状態の断面図。
【符号の説明】
【００２５】
１１  蓋体
１２  枠体
１６  孔部
１７  孔部の内壁面
１８  段
１９  開閉移動部
２０  閉塞板
２１  上部構造
２２  下部構造
２３  パッキング
２５  リンク部材
２６、２７、３１、３２  軸支部
２８、２９  平行部材
３０  枠部材
３３、３４  軸部材
３５、３６  保持部
３９  調整軸
４０  閉塞板位置調整装置
４１  結合部
４２  支持部
４３  止めナット
４５  付勢手段
４６  突部
【図１】
2006233654.tif 000003
【図２】
2006233654.tif 000004
【図３】
2006233654.tif 000005
【図４】
2006233654.tif 000006
【図５】
2006233654.tif 000007
【図６】
2006233654.tif 000008
【図７】
2006233654.tif 000009